(57)【要約】【課題】加飾板によって立体的で斬新な表示が可能な表示装置を提供する。【解決手段】表示装置１は、表示意匠像２４Ａを表示する表示部２、６と、表示部２の前面に配置された加飾板３とを備え、加飾板３が、背面３０２に対して傾斜した傾斜面３０１を前面側に有する光透過性の基板３０と、傾斜面３０１に形成され光透過性と光反射性とを有する半透光層３１と、背面３０２に形成された光反射層３２とを備え、光反射層３２が、表示意匠像２４Ａの光を基板３０内に導入する光透過部３２１を備え、光透過部３２１から基板３０内に導入した表示意匠像２４Ａの光を、半透光層３１を通して目視側へ出射させて表示意匠像２４Ａを表示させ、且つ、半透光層３１と光反射層３２とによって、それぞれ、１回以上反射させた後に、半透光層３１を通して目視側へ出射させて表示意匠像２４Ａを虚像Ｃ１−Ｃ３として表示させる。【選択図】図３
2009069207.tif 000002
【特許請求の範囲】
【請求項１】
表示意匠像を表示する表示部と、
前記表示部の前面に配置された加飾板とを備え、
前記加飾板は、背面に対して傾斜した傾斜面を前面側に有する光透過性の基板と、前記傾斜面に形成され光透過性と光反射性とを有する半透光層と、前記背面に形成された光反射層とを備え、
前記光反射層は、前記表示意匠像の光を前記基板内に導入する光透過部を備え、
前記光透過部から前記基板内に導入した前記表示意匠像の光を、前記半透光層を通して目視側へ出射させて前記表示意匠像を表示させ、
前記光透過部から前記基板内に導入した前記表示意匠像の光を、前記半透光層と前記光反射層とによって、それぞれ、１回以上反射させた後に、前記半透光層を通して目視側へ出射させて前記表示意匠像を虚像として表示させることを特徴とする表示装置。
【請求項２】
背面に対して傾斜した傾斜面を前面側に有する光透過性の基板と、前記傾斜面に形成され光透過性と光反射性とを有する半透光層と、前記背面に形成され表示意匠の形状の光透過部を有する光反射層とを備えた加飾板と、
前記加飾板の背後に配置され、前記光透過部を透過照明して、前記表示意匠の形状の表示意匠像を透過像として発生させる光源とを備え、
前記光透過部から前記基板内に導入した前記表示意匠像の光を、前記半透光層を通して目視側へ出射させて前記表示意匠像を表示させ、
前記光透過部から前記基板内に導入した前記表示意匠像の光を、前記半透光層と前記光反射層とによって、それぞれ、１回以上反射させた後に、前記半透光層を通して目視側へ出射させて前記表示意匠像を虚像として表示させることを特徴とする表示装置。
【請求項３】
車両に搭載される表示装置であって、
前記表示意匠像の色調が切替可能に構成され、
自車両に備わる機器の作動状態を報知するインジケータの表示または前記自車両の異常を警告するウォーニングの表示に連動させて、前記表示意匠像の色調を切り替える制御手段を備えることを特徴とする請求項１または請求項２に記載の表示装置。
【請求項４】
車両に搭載される表示装置であって、
自車両に備わる機器の作動状態を報知するインジケータの表示または前記自車両の異常を警告するウォーニングの表示に連動させて、前記表示意匠像を表示と非表示で切り替える制御手段を備えることを特徴とする請求項１または請求項２に記載の表示装置。
【請求項５】
前記表示意匠像は、所定情報を表すことを特徴とする請求項１または請求項２に記載の表示装置。
【発明の詳細な説明】
【技術分野】
【０００１】
本発明は、加飾板を備えた表示装置に関するものである。
【背景技術】
【０００２】
近年、表示装置として、見映えのある斬新な表示をさせるため、様々な方法が提案され、その一つとして、光源の光を受けて発光する加飾リングを有する指針計器が開示されている（特許文献１を参照）。
【０００３】
この指針計器は、光透過性を有する目盛が形成された文字盤と、この文字盤の背後に設けられた光源と、この文字盤の前面に設けられこの目盛を覆う光透過性の加飾リングとを備える。加飾リングの背面には、目盛を透過した光源からの光を受けて発光する凹部を形成し、これにより、文字盤の目盛を立体的に見せようとするものである。
【特許文献１】特開２００４−６１３２６号公報
【発明の開示】
【発明が解決しようとする課題】
【０００４】
しかし、特許文献１による指針計器では、文字盤に対して凹部の深さ分の立体感が得られるにすぎず、目盛を立体的に見せる点でも、見映えのある斬新な表示をさせる点でも、一定の限界がある。
【０００５】
本発明は、このような事情を考慮してなされたものであり、加飾板によって立体的で斬新な表示が可能な表示装置を提供することを目的とする。
【課題を解決するための手段】
【０００６】
本発明は上記目的を達成するため、以下の技術的手段を採用する。
【０００７】
請求項１に記載の表示装置は、表示意匠像を表示する表示部と、表示部の前面に配置された加飾板とを備え、加飾板が、背面に対して傾斜した傾斜面を前面側に有する光透過性の基板と、傾斜面に形成され光透過性と光反射性とを有する半透光層と、背面に形成された光反射層とを備え、光反射層が、表示意匠像の光を基板内に導入する光透過部を備え、光透過部から基板内に導入した表示意匠像の光を、半透光層を通して目視側へ出射させて表示意匠像を表示させ、光透過部から基板内に導入した表示意匠像の光を、半透光層と光反射層とによって、それぞれ、１回以上反射させた後に、半透光層を通して目視側へ出射させて表示意匠像を虚像として表示させることを特徴とする。
【０００８】
この構成では、光透過部から基板内に導入した表示意匠像の光を、半透光層を通して目視側へ出射させて表示意匠像を表示させ、且つ、半透光層と光反射層とによって、それぞれ、１回以上反射させた後に、半透光層を通して目視側へ出射させて表示意匠像を虚像として表示させる。ここで、半透光層と光反射層とによる反射の回数が増す毎に、この反射をしない場合の表示意匠像の表示位置を基準として、より背後側に、虚像の表示位置が移動する。また、この構成では、半透光層が光反射層に対して傾斜しているため、この反射をしない場合の表示意匠像の表示、および、この反射をした場合の虚像の表示を、目視側から見て互いに重ならないように表示できる。
【０００９】
したがって、表示意匠像を、互いに立体的に繰り返す表示意匠像として表示できるため、立体的で斬新な表示が可能な表示装置を提供できる。
【００１０】
請求項２に記載の表示装置は、背面に対して傾斜した傾斜面を前面側に有する光透過性の基板と、傾斜面に形成され光透過性と光反射性とを有する半透光層と、背面に形成され表示意匠の形状の光透過部を有する光反射層とを備えた加飾板と、加飾板の背後に配置され、光透過部を透過照明して、表示意匠の形状の表示意匠像を透過像として発生させる光源とを備え、光透過部から基板内に導入した表示意匠像の光を、半透光層を通して目視側へ出射させて表示意匠像を表示させ、光透過部から基板内に導入した表示意匠像の光を、半透光層と光反射層とによって、それぞれ、１回以上反射させた後に、半透光層を通して目視側へ出射させて表示意匠像を虚像として表示させることを特徴とする。
【００１１】
この構成では、光源からの光が光透過部を透過照明して、表示意匠の形状の表示意匠像を透過像として発生させ、光透過部から基板内に導入した表示意匠像の光を、半透光層を通して目視側へ出射させて表示意匠像を表示させ、且つ、半透光層と光反射層とによって、それぞれ、１回以上反射させた後に、半透光層を通して目視側へ出射させて表示意匠像を虚像として表示させる。
【００１２】
ここで、半透光層と光反射層とによる反射の回数が増す毎に、この反射をしない場合の表示意匠像の表示位置を基準として、より背後側に、虚像の表示位置が移動する。また、この構成では、半透光層が光反射層に対して傾斜しているため、この反射をしない場合の表示意匠像の表示、および、この反射をした場合の虚像の表示を、目視側から見て互いに重ならないように表示できる。
【００１３】
したがって、表示意匠像を、互いに立体的に繰り返す表示意匠像として表示できるため、立体的で斬新な表示が可能な表示装置を提供できる。
【００１４】
請求項３に記載の表示装置は、車両に搭載される表示装置であって、表示意匠像の色調が切替可能に構成され、自車両に備わる機器の作動状態を報知するインジケータの表示または自車両の異常を警告するウォーニングの表示に連動させて、表示意匠像の色調を切り替える制御手段を備えることを特徴とする。
【００１５】
この構成では、インジケータの表示またはウォーニングの表示に連動させて、表示意匠像の色調（明度、色相の少なくともいずれか）を切り替える。これにより、インジケータが報知されていることまたはウォーニングが警告されていることを、より確実に認識させることができる。
【００１６】
請求項４に記載の表示装置は、車両に搭載される表示装置であって、自車両に備わる機器の作動状態を報知するインジケータの表示または自車両の異常を警告するウォーニングの表示に連動させて、表示意匠像を表示と非表示で切り替える制御手段を備えることを特徴とする。これにより、インジケータが報知されていることまたはウォーニングが警告されていることを、より確実に認識させることができる。
【００１７】
請求項５に記載の表示装置は、表示意匠像が、所定情報を表すことを特徴とする。表示意匠像を、互いに立体的に繰り返す表示意匠像として表示できるため、所定情報を強調して表示できる。
【発明を実施するための最良の形態】
【００１８】
以下、本発明による表示装置を、自動車に搭載されるコンビネーションメータに適用した場合を例に図面に基づいて説明する。
【００１９】
（構成）
本発明の一実施形態による表示装置であるコンビネーションメータ１は、運転席前方に配置され、図１に示すように、当該自動車の走行速度を表示する速度計と、当該自動車に備わる機器の作動状態を報知するインジケータと当該自動車の異常を警告するウォーニングとであるインジケータ／ウォーニング表示装置４を備える。速度計は、文字２１と目盛２２が形成された文字盤２と、文字２１と目盛２２を指示して回動する指針５とによって、走行速度を表示する。
【００２０】
加飾板３は、文字盤２の前面に配置され、例えば、橙色の、後述するリング状の表示意匠像２４Ａ（図２）の虚像Ａ，Ｃ１−Ｃ３を、加飾板３内で表示する。尚、インジケータ／ウォーニング表示装置４の表示に連動させて、虚像Ａ，Ｃ１−Ｃ３を表示と非表示で切り替えるように構成し、即ち、インジケータ／ウォーニング表示装置４が表示を行わない場合に、虚像Ａ，Ｃ１−Ｃ３を表示させないように構成する。
【００２１】
インジケータ／ウォーニング表示装置４は、例えば、液晶パネルなどから構成され、加飾板３の開口３３を通してインジケータ／ウォーニングの表示を行う。インジケータ／ウォーニング表示装置４は、図１において、シートベルトを装着していないことを警告し、このウォーニングの表示に連動させて、虚像Ａ，Ｃ１−Ｃ３を、加飾板３内で表示している。
【００２２】
図２において、文字盤２は、光透過性を有する無色透明なポリカーボネート樹脂等から形成された基板２０と、基板２０上に形成された例えば黒色で遮光性の背景層２３とを備え、表示意匠の形状の開口２４を、具体的に、図１に示したリング状の虚像Ａの形状の開口２４を背景層２３に設ける。文字盤２の背後には、開口２４を透過照明する例えば橙色の光を発する発光ダイオード６を配置し、プリント基板８に実装する。ケース７によって光路Ｐ１０にしたがって開口２４を透過照明した発光ダイオード６からの光は、開口２４を透過照明して、表示意匠の形状の表示意匠像２４Ａを、具体的に、図１に示したリング状の虚像Ａの形状の表示意匠像２４Ａを、透過像として発生させる。
【００２３】
したがって、開口２４が形成された文字盤２と発光ダイオード６とは、表示意匠像２４Ａを表示する表示部を構成する。
【００２４】
加飾板３は、文字盤２の前面に配置され、基板３０と、基板３０の傾斜面３０１に形成された半透光層であるハーフミラー層３１と、基板３０の背面３０２に形成された光反射層３２とを備える。基板３０は、無色透明な例えばアクリル樹脂等から形成され、背面３０２に対して傾斜角度θで傾斜した傾斜面３０１を前面側に有し、ハーフミラー層３１は、光透過性と光反射性を有するように膜厚を調整した、例えばアルミニウム薄膜としてメッキや蒸着等で形成される。
【００２５】
光反射層３２は、光反射性のみを有するように膜厚を調整した、例えばアルミニウム薄膜としてメッキや蒸着等で形成される。したがって、ハーフミラー層３１と光反射層３２を、同じアルミニウム薄膜として形成する場合、光反射層３２の膜厚を、ハーフミラー層３１の膜厚より厚く設定する。また、光反射層３２は、表示意匠像２４Ａの光を基板３０内に導入する光透過部である開口３２１を備える。加飾板３と文字盤２は、引っ掛けや熱圧着等によって互いに固定される。
【００２６】
図３に示すように、開口３２１から基板３０内に導入した表示意匠像２４Ａの光を、光路Ｐ１１、Ｐ１２にしたがってハーフミラー層３１を通して目視側へ出射させて表示意匠像２４Ａを虚像Ａとして表示させる。具体的に、表示意匠像２４Ａの光は、光路Ｐ１１、Ｐ１２にしたがって屈折して目視側へ出射し、光路Ｐ１１、Ｐ１２の破線で示す各延長線が交差する位置で虚像Ａを表示させる。
【００２７】
また、開口３２１から基板３０内に導入した表示意匠像２４Ａの光を、光路Ｐ１−Ｐ３にしたがってハーフミラー層３１と光反射層３２とによって、それぞれ、１回以上反射させた後に、ハーフミラー層３１を通して目視側へ出射させて表示意匠像２４Ａを虚像Ｃ１−Ｃ３として表示させる。
【００２８】
例えば、光路Ｐ１では、表示意匠像２４Ａの光を、ハーフミラー層３１と光反射層３２とによって、それぞれ、１回反射させた後に、ハーフミラー層３１を通して目視側へ出射させて表示意匠像２４Ａを虚像Ｃ１として表示させる。また、光路Ｐ２では、表示意匠像２４Ａの光を、ハーフミラー層３１と光反射層３２とによって、それぞれ、２回反射させた後に、ハーフミラー層３１を通して目視側へ出射させて表示意匠像２４Ａを虚像Ｃ２として表示させる。また、光路Ｐ３では、表示意匠像２４Ａの光を、ハーフミラー層３１と光反射層３２とによって、それぞれ、３回反射させた後に、ハーフミラー層３１を通して目視側へ出射させて表示意匠像２４Ａを虚像Ｃ３として表示させる。
【００２９】
尚、図面を見易くするため、光路Ｐ２と光路Ｐ３では、ハーフミラー層３１と光反射層３２とによる１回目の反射光路を省略している。また、図１と図３では、虚像Ａ，Ｃ１−Ｃ３の４個を表示させているが、傾斜角度θと加飾板３の径方向（図３において上下方向）の長さと加飾板３の板厚とを変えることによって、４個より少なくすることも可能であり、４個より多くすることも可能である。
【００３０】
光路Ｐ１において、表示意匠像２４Ａの光を、ハーフミラー層３１で１回反射することによって、図４に示すように、ハーフミラー層３１を対称面とする表示意匠像２４Ａと面対称の位置に、虚像Ｂ１が生じる。但し、ハーフミラー層３１による反射光は、目視側と反対側へ向かうため、虚像Ｂ１を目視側から目視できない。これに対して、ハーフミラー層３１からの反射光を、光反射層３２によって反射させることによって、光反射層３２を対称面とする虚像Ｂ１と面対称の位置に、虚像Ｃ１が生じ、光反射層３２からの反射光を、ハーフミラー層３１を通して目視側へ出射させることによって、表示意匠像２４Ａを虚像Ｃ１として表示させることができる。
【００３１】
光路Ｐ２においては、光反射層３２からの１回目の反射光を、ハーフミラー層３１で反射することによって、ハーフミラー層３１を対称面とする虚像Ｃ１と面対称の位置に、虚像Ｂ２が生じる。但し、ハーフミラー層３１による反射光は、目視側と反対側へ向かうため、虚像Ｂ２も目視側から目視できない。これに対して、ハーフミラー層３１からの反射光を、光反射層３２によって反射することによって、光反射層３２を対称面とする虚像Ｂ２と面対称の位置に、虚像Ｃ２が生じ、光反射層３２からの反射光を、ハーフミラー層３１を通して目視側へ出射させることによって、表示意匠像２４Ａを虚像Ｃ２として表示させることができる。
【００３２】
光路Ｐ３においては、光反射層３２からの２回目の反射光を、ハーフミラー層３１で反射することによって、ハーフミラー層３１を対称面とする虚像Ｃ２と面対称の位置に、虚像Ｂ３が生じる。但し、ハーフミラー層３１による反射光は、目視側と反対側へ向かうため、虚像Ｂ３も目視側から目視できない。これに対して、ハーフミラー層３１からの反射光を、光反射層３２によって反射させることによって、光反射層３２を対称面とする虚像Ｂ３と面対称の位置に、虚像Ｃ３が生じ、光反射層３２からの反射光を、ハーフミラー層３１を通して目視側へ出射させることによって、表示意匠像２４Ａを虚像Ｃ３として表示させることができる。
【００３３】
このように、ハーフミラー層３１と光反射層３２とによる反射の回数が増す毎に、この反射をしない場合の表示意匠像２４Ａの表示位置を基準として、即ち、虚像Ａを基準として、より背後側に、虚像の表示位置が移動する。具体的に、ハーフミラー層３１と光反射層３２とによる反射が１回の場合、虚像Ａを基準として長さＬ１背後側で虚像Ｃ１が表示され、この反射が２回の場合、虚像Ａを基準として長さＬ１より長いＬ２背後側で虚像Ｃ２が表示され、この反射が３回の場合、虚像Ａを基準として長さＬ２より長いＬ３背後側で虚像Ｃ３が表示される。
【００３４】
また、ハーフミラー層３１が光反射層３２に対して傾斜角度θ傾斜しているため、虚像Ａ，Ｃ１−Ｃ３を、目視側から見て互いに重ならないように表示できる。具体的に、ハーフミラー層３１と光反射層３２とによる反射が１回の場合、虚像Ａを基準として長さＬ４指針５の回転中心側（図４において下側）で虚像Ｃ１が表示され、この反射が２回の場合、虚像Ａを基準として長さＬ４より長いＬ５回転中心側で虚像Ｃ２が表示され、この反射が３回の場合、虚像Ａを基準として長さＬ５より長いＬ６回転中心側で虚像Ｃ３が表示される。
【００３５】
したがって、表示意匠像２４Ａを、互いに立体的に繰り返す表示意匠像Ａ，Ｃ１−Ｃ３として表示できるため、立体的で斬新な表示が可能なコンビネーションメータ１を提供できる。
【００３６】
以上説明した本実施形態によるコンビネーションメータ１の電気回路構成について、図５に基づいて説明する。
【００３７】
マイクロコンピュータ等から構成される制御手段である制御装置１０には、当該自動車のインジケータやウォーニングに関するインジケータ／ウォーニングセンサ９が検出信号を入力可能に接続され、インジケータ／ウォーニング表示装置４と発光ダイオード６とが接続される。制御装置１０は、インジケータ／ウォーニング表示装置４の表示に連動させて、表示意匠像２４Ａを表示と非表示で切り替えるように、即ち、発光ダイオード６の点燈と消燈とを切り替えるように、制御装置１０を構成する。具体的に、インジケータ／ウォーニング表示装置４が表示を行わない場合に発光ダイオード６を消燈し、インジケータ／ウォーニング表示装置４が表示を行う場合に発光ダイオード６を点燈するように、制御装置１０を構成する。
【００３８】
（作動）
図５において、運転者によって図示しないイグニッションスイッチがオンされると、制御装置１０は、それを検出して作動を開始し、図示しない速度センサからの信号に基づいて、指針５を回動させる。また、制御装置１０は、インジケータ／ウォーニングセンサ９からの信号に基づいて、例えば、シートベルトを装着していないことを検出した場合、インジケータ／ウォーニング表示装置４に、このウォーニングを表示させる。
【００３９】
このとき、発光ダイオード６を点燈し、これにより、表示意匠像２４Ａを、互いに立体的に繰り返す橙色の表示意匠像Ａ，Ｃ１−Ｃ３として表示できる。また、これにより、インジケータ／ウォーニング表示装置４が表示していることを確実に認識させることができるため、いわゆるアンビエント効果を発揮させることができる。また、表示意匠像２４Ａを、互いに立体的に繰り返す表示意匠像Ａ，Ｃ１−Ｃ３として表示できるため、立体的で斬新な表示が可能なコンビネーションメータ１を提供できる。
【００４０】
一方、インジケータ／ウォーニングセンサ９からの信号に基づいて、インジケータ／ウォーニング表示装置４が表示を行っていない場合、発光ダイオード６を消燈する。これにより、インジケータ／ウォーニング表示装置４が表示していないことを確実に認識させることができるため、いわゆるアンビエント効果を発揮させることができる。
【００４１】
以上説明した本発明の一実施形態による表示装置であるコンビネーションメータ１は、表示意匠像２４Ａを表示する表示部である文字盤２と発光ダイオード６と、文字盤２の前面に配置された加飾板３とを備え、加飾板３が、背面３０２に対して傾斜した傾斜面３０１を前面側に有する光透過性の基板３０と、傾斜面３０１に形成され光透過性と光反射性とを有する半透光層であるハーフミラー層３１と、背面３０２に形成された光反射層３２とを備え、光反射層３２が、表示意匠像２４Ａの光を基板３０内に導入する光透過部である開口３２１を備え、開口３２１から基板３０内に導入した表示意匠像２４Ａの光を、ハーフミラー層３１を通して目視側へ出射させて表示意匠像２４Ａを表示させ、開口３２１から基板３０内に導入した表示意匠像２４Ａの光を、ハーフミラー層３１と光反射層３２とによって、それぞれ、１回以上反射させた後に、ハーフミラー層３１を通して目視側へ出射させて表示意匠像２４Ａを虚像Ｃ１−Ｃ３として表示させる。
【００４２】
これにより、加飾板によって立体的で斬新な表示が可能な表示装置を提供できる。
【００４３】
（変形例）
上述の例では、傾斜面３０１を、背面３０２に対して一つの傾斜角度θで傾斜させたが、これに限らない。図６に示すように、加飾板３００において、背面３０２に対して２つの傾斜角度θ１、θ２で傾斜した傾斜面３０３とすることも可能である。これによっても、上述と同様の効果を得ることができる。
【００４４】
また、開口３２１の目視側において傾斜面３０１の傾斜角度を０度とすることも可能である。この場合は、開口３２１から基板３０内に導入した表示意匠像２４Ａの光を、ハーフミラー層３１を通して目視側へ屈折させないで出射させことが可能となるため、表示意匠像２４Ａを実像として表示させることができる。
【００４５】
上述の例では、インジケータ／ウォーニング表示装置４の表示に連動させて、表示意匠像２４Ａを表示と非表示で切り替えるようにしたが、これに限らない。例えば、表示意匠像２４Ａの色調（明度、色相の少なくともいずれか）を切替可能に構成し、インジケータ／ウォーニング表示装置４の表示に連動させて、表示意匠像２４Ａの色調を切り替えるようにすることも可能である。
【００４６】
具体的に、発光ダイオード６を、青色光を発する青色発光ダイオードと赤色光を発する赤色発光ダイオードから構成し、インジケータ／ウォーニング表示装置４が表示を行わない場合に青色発光ダイオードを点燈して赤色発光ダイオードを消燈し、インジケータ／ウォーニング表示装置４が表示を行う場合に赤色発光ダイオードを点燈して青色発光ダイオードを消燈ように、制御装置１０を構成する。これにより、インジケータが報知されていることまたはウォーニングが警告されていることを、より確実に認識させることができるため、いわゆるアンビエント効果を発揮させることができる。
【００４７】
上述の例では、表示意匠像２４Ａは、単なる模様であったが、所定情報を表すものとすることが可能である。例えば、図７に示すように、表示部であるインジケータ／ウォーニング表示装置４は、所定情報であるインジケータ／ウォーニング情報を表す表示意匠像を表示する。
【００４８】
加飾板４０は、加飾板３，３００と異なる略４角形であって、図７において下側の板厚が厚くなるように形成される。即ち、加飾板４０は、下側の板厚が厚くなるように背面に対して傾斜した傾斜面を前面側に有する光透過性の基板と、傾斜面に形成されたハーフミラー層と、背面に形成された光反射層とを備え、光反射層が、表示意匠像の光を基板内に導入する開口を備える。加飾板４０は、インジケータ／ウォーニング表示装置４の前面に配置され、表示意匠像の虚像Ａ１０，Ｃ１０−Ｃ３０を、加飾板４０内で表示する。これにより、表示意匠像を、互いに立体的に繰り返す虚像Ａ１０，Ｃ１０−Ｃ３０として表示できるため、図７に示すように、シートベルトを装着していないことを警告する情報を強調して表示できる。
【００４９】
尚、虚像Ａ１０は、ハーフミラー層と光反射層とによる反射をしない場合の虚像であり、虚像Ｃ１０は、ハーフミラー層と光反射層とによる反射が１回の場合の虚像であり、虚像Ｃ２０は、ハーフミラー層と光反射層とによる反射が２回の場合の虚像であり、虚像Ｃ３０は、ハーフミラー層と光反射層とによる反射が３回の場合の虚像である。
【００５０】
上述の例では、表示意匠像２４Ａを、開口３２１から基板３０内に導入したが、これに限らない。光透過部である開口３２１を表示意匠の形状で形成し、光源である発光ダイオード６が開口３２１を透過照明して、表示意匠の形状の表示意匠像２４Ａを透過像として発生させることも可能である。この場合も、上述と同様の効果を得ることができる。
【００５１】
尚、上述の例に限らず、上述の例の種々の組み合わせや、種々の変形例が考えられる。
【図面の簡単な説明】
【００５２】
【図１】図１は、本発明の一実施形態による表示装置であるコンビネーションメータ１の正面図である。
【図２】図２は、図１中のＩＩ−ＩＩ線断面図である。
【図３】図３は、図２の主要部を示す断面図である。
【図４】図４は、図３の模式図である。
【図５】図５は、図１に示すコンビネーションメータ１の電気回路構成を説明する回路構成図である。
【図６】図６は、図２に示す加飾板３の変形例を示す断面図である。
【図７】図７は、図１の変形例を示す正面図である。
【符号の説明】
【００５３】
１  コンビネーションメータ（表示装置）、２  文字盤、２０  基板、２１  文字
２２  目盛、２３  背景層、２４  開口、２４Ａ  表示意匠像
３，３００，４０  加飾板、３０  基板、３０１，３０３  傾斜面、３０２背面
３１半透光層、３２光反射層、３２１  開口（光透過部）、３３  開口
４  インジケータ／ウォーニング表示装置（表示部）、５  指針
６  発光ダイオード（光源）、７  ケース、８  プリント基板
９  インジケータ／ウォーニングセンサ、１０  制御装置（制御手段）
Ａ，Ａ１０，Ｂ１−Ｂ３，Ｃ１−Ｃ３、Ｃ１０−Ｃ３０  虚像
【図１】
2009069207.tif 000003
【図２】
2009069207.tif 000004
【図３】
2009069207.tif 000005
【図４】
2009069207.tif 000006
【図５】
2009069207.tif 000007
【図６】
2009069207.tif 000008
【図７】
2009069207.tif 000009